(57)【特許請求の範囲】
【請求項１】
第１のペン先を備えた第１のインキタンクと第２のペン先を備えた第２のインキタンクとを合体させ、一端に前記第１のペン先を備え且つ他端に前記第２のペン先を備えるよう構成し、前記第１のインキタンクと前記第２のインキタンクとを分離可能に構成した直液タイプの両頭式筆記具であって、前記第１のインキタンクの外面と前記第２のインキタンクの外面とを、直接、係合させてなり、
前記第１のインキタンクを、前端が開口され且つ後端が閉鎖された有底筒状体により構成するとともに、前記第１のインキタンクを、前部に形成された第１の大径部と該第１の大径部より後方に連設された第１の小径部とから構成し、前記第２のインキタンクを、前端が開口され且つ後端が閉鎖された有底筒状体により構成するとともに、前記第２のインキタンクを、前部に形成された第２の大径部と該第２の大径部より後方に連設された第２の小径部とから構成し、前記第１の大径部の後端と前記第２の小径部の後端とを係合させ、且つ、前記第１の小径部の後端と前記第２の大径部の後端とを係合させ、前記第１のインキタンクと前記第２のインキタンクとが、前後に離れた２箇所の係合部により係合され、
前記第１の大径部の外周が横断面円形状を有し、前記第１の小径部の外周が横断面半円形状または横断面半多角形状を有するとともに外形面と分割面とからなり、前記第２の大径部の外周が横断面円形状を有し、前記第２の小径部の外周が横断面半円形状または横断面半多角形状を有するとともに外形面と分割面とからなり、前記第１の小径部の分割面と前記第２の小径部の分割面とを非係合状態で対向させ、前記第１の小径部の外形面と前記第２の小径部の外形面とにより横断面円形状または横断面多角形状を構成し、
前記第１のインキタンクの第１の大径部内に第１のインキ保溜部材が嵌入され、該第１のインキ保溜部材の後方の第１のインキタンク内に第１のインキ貯溜部が形成され、前記第１のインキ保溜部材が、第１のインキ貯溜部内の圧力上昇に応じた溢出インキを一時的に保持し、
前記第２のインキタンクの第２の大径部内に第２のインキ保溜部材が嵌入され、該第２のインキ保溜部材の後方の第２のインキタンク内に第２のインキ貯溜部が形成され、前記第２のインキ保溜部材が、第２のインキ貯溜部内の圧力上昇に応じた溢出インキを一時的に保持し、
前記第１のインキ貯溜部に第１のインキが貯溜され、前記第２のインキ貯溜部に第２のインキが貯溜され、
前記第１のインキタンクが透明材料または半透明材料よりなり、前記第２のインキタンクが透明材料または半透明材料よりなり、
前記第１のインキ及び第２のインキが、第１の小径部及び第２の小径部において径方向に２層に重層された状態で視認されることを特徴とする両頭式筆記具。
【発明の詳細な説明】
【技術分野】
【０００１】
本発明は、軸筒の両端にペン先を備えた直液タイプの両頭式筆記具に関する。尚、本発明において、「前」とは、各々のインキタンクにおいてペン先側を指し、「後」とは、各々のインキタンクにおいてインキ貯溜部側を指す。
【背景技術】
【０００２】
従来、この種の両頭式筆記具に関して、例えば特許文献１には、ペン先とペン先ホルダとインキタンクを固定した直液構造のペン先ユニットを筒軸両端側に着脱自在に取付けた筆記具が開示されている。
【０００３】
【特許文献１】特開２００２−３６７８６号公報
【発明の開示】
【発明が解決しようとする課題】
【０００４】
前記特許文献１の筆記具は、二つのペン先ユニットを、筒軸を介在させて連結する構造である。そのため、別部品の筒軸が必要となり、部品点数が増加して、製造コストが上昇し、安価に提供することが困難となる。
【０００５】
また、前記特許文献１の筆記具は、筒軸により外径が太くなり、外観性が損なわれるおそれがある。また、前記特許文献１の筆記具は、筒軸に装着されるインキタンクの後端部が薄肉に設定され、インキタンク後端部の強度が不十分となりがちであり、筆記使用時に筒軸から脱落するおそれがある。また、前記特許文献１の筆記具は、透明性のインキタンクの場合、筒軸によってインキタンク内部のインキの視認性が低下するおそれがある。
【０００６】
本発明は前記従来の問題点を解決するものであって、部品点数を減少させ製造コストを抑えるとともに、筆記使用時にインキタンクとインキタンクが分離するおそれがなく、しかも、優れた外観性が得られ、さらに、透明性のインキタンクの場合、インキタンク内部のインキの視認性が向上する直液タイプの両頭式筆記具を提供しようとするものである。
【課題を解決するための手段】
【０００７】
本願の発明は、第１のペン先３Ａを備えた第１のインキタンク４Ａと第２のペン先３Ｂを備えた第２のインキタンク４Ｂとを合体させ、一端に前記第１のペン先３Ａを備え且つ他端に前記第２のペン先３Ｂを備えるよう構成し、前記第１のインキタンク４Ａと前記第２のインキタンク４Ｂとを分離可能に構成した直液タイプの両頭式筆記具１であって、前記第１のインキタンク４Ａの外面と前記第２のインキタンク４Ｂの外面とを、直接、係合させてなり、
前記第１のインキタンク４Ａを、前端が開口され且つ後端が閉鎖された有底筒状体により構成するとともに、前記第１のインキタンク４Ａを、前部に形成された第１の大径部５Ａと該第１の大径部５Ａより後方に連設された第１の小径部６Ａとから構成し、前記第２のインキタンク４Ｂを、前端が開口され且つ後端が閉鎖された有底筒状体により構成するとともに、前記第２のインキタンク４Ｂを、前部に形成された第２の大径部５Ｂと該第２の大径部５Ｂより後方に連設された第２の小径部６Ｂとから構成し、前記第１の大径部５Ａの後端と前記第２の小径部６Ｂの後端とを係合させ、且つ、前記第１の小径部６Ａの後端と前記第２の大径部５Ｂの後端とを係合させ、前記第１のインキタンク４Ａと前記第２のインキタンク４Ｂとが、前後に離れた２箇所の係合部により係合され、
前記第１の大径部５Ａの外周が横断面円形状を有し、前記第１の小径部６Ａの外周が横断面半円形状または横断面半多角形状を有するとともに外形面６２Ａと分割面６３Ａとからなり、前記第２の大径部５Ｂの外周が横断面円形状を有し、前記第２の小径部６Ｂの外周が横断面半円形状または横断面半多角形状を有するとともに外形面６２Ｂと分割面６３Ｂとからなり、前記第１の小径部６Ａの分割面６３Ａと前記第２の小径部６Ｂの分割面６３Ｂとを非係合状態で対向させ、前記第１の小径部６Ａの外形面６２Ａと前記第２の小径部６Ｂの外形面６２Ｂとにより横断面円形状または横断面多角形状を構成し、
前記第１のインキタンク４Ａの第１の大径部５Ａ内に第１のインキ保溜部材７Ａが嵌入され、該第１のインキ保溜部材７Ａの後方の第１のインキタンク４Ａ内に第１のインキ貯溜部８Ａが形成され、前記第１のインキ保溜部材７Ａが、第１のインキ貯溜部８Ａ内の圧力上昇に応じた溢出インキを一時的に保持し、
前記第２のインキタンク４Ｂの第２の大径部５Ｂ内に第２のインキ保溜部材７Ｂが嵌入され、該第２のインキ保溜部材７Ｂの後方の第２のインキタンク４Ｂ内に第２のインキ貯溜部８Ｂが形成され、前記第２のインキ保溜部材７Ｂが、第２のインキ貯溜部８Ｂ内の圧力上昇に応じた溢出インキを一時的に保持し、
前記第１のインキ貯溜部８Ａに第１のインキが貯溜され、前記第２のインキ貯溜部８Ｂに第２のインキが貯溜され、
前記第１のインキタンク４Ａが透明材料または半透明材料よりなり、前記第２のインキタンク４Ｂが透明材料または半透明材料よりなり、
前記第１のインキ及び第２のインキが、第１の小径部６Ａ及び第２の小径部６Ｂにおいて径方向に２層に重層された状態で視認されること（請求項１）を要件とする。
【０００８】
前記請求項１の第１のインキタンク４Ａの外面と第２のインキタンク４Ｂの外面とを、直接、係合させる構成により、第１のインキタンク４Ａと第２のインキタンク４Ｂとを、別部品を介在させることなしに直接合体できる。その結果、部品点数が減少し、製造コストを安価に抑えることができるとともに、スマートな外観性を得ることができる。
【０００９】
【００１０】
第１の大径部５Ａの後端と第２の小径部６Ｂの後端とが係合し、第１の小径部６Ａの後端と第２の大径部５Ｂの後端とが係合してなる構成により、第１のインキタンク４Ａと第２のインキタンク４Ｂとが、前後に離れた２箇所の係合部により係合される。それにより、第１のインキタンク４Ａと第２のインキタンク４Ｂとの取付強度が向上し、筆記使用時、第１のインキタンク４Ａまたは第２のインキタンク４Ｂがぐらついたり、第１のインキタンク４Ａと第２のインキタンク４Ｂとが分離するおそれがない。
【００１１】
【００１２】
前記第１の小径部６Ａの分割面６３Ａと第２の小径部６Ｂの分割面６３Ｂとを非係合状態で対向させる構成により、第１のインキタンク４Ａと第２のインキタンク４Ｂとのぐらつきのない安定した取付構造が得られるとともに、第１のインキタンク同士または第２のインキタンク４Ｂ同士でもぐらつきのない安定した取付構造が得られる。
【００１３】
もし、第１の小径部６Ａの分割面６３Ａと第２の小径部６Ｂの分割面６３Ｂとが係合する場合、第１の小径部６Ａの分割面６３Ａに凸部を形成し且つ第２の小径部６Ｂの分割面６３Ｂに凹部を形成したり、または、第１の小径部６Ａの分割面６３Ａに凹部を形成し且つ第２の小径部６Ｂの分割面６３Ｂに凸部を形成することになる。その場合、分割面６３Ａに凸部を有する第１のインキタンク同士または分割面６３Ｂに凸部を有する第２のインキタンク４Ｂ同士では、安定した取付構造が得られないおそれがある。
【００１４】
また、前記前記第１の小径部６Ａの外形面６２Ａと前記第２の小径部６Ｂの外形面６２Ｂとにより横断面円形状または横断面多角形状を構成すること（二つの小径部が合体して横断面円形状または横断面多角形を構成すること）から、全体として統一感のある外観性を得ることができる。
【００１５】
【００１６】
【００１７】
【００１８】
【発明の効果】
【００１９】
請求項１の両頭式筆記具は、部品点数が減少し、製造コストを安価に抑えることができるとともに、スマートな外観性を得ることができる。
【００２０】
請求項１の両頭式筆記具は、第１のインキタンクと第２のインキタンクとの取付強度が向上し、筆記使用時、第１のインキタンクまたは第２のインキタンクがぐらついたり、第１のインキタンクと第２のインキタンクとが分離するおそれがない。
【００２１】
請求項１の両頭式筆記具は、第１のインキタンクと第２のインキタンクとのぐらつきのない安定した取付構造が得られるとともに、第１のインキタンク同士または第２のインキタンク同士でもぐらつきのない安定した取付構造が得られ、しかも、全体として統一感のある優れた外観性を得ることができる。
【００２２】
【００２３】
【発明を実施するための最良の形態】
【００２４】
本発明を実施するための最良の形態を説明する。
図１は第１の筆記体２Ａと第２の筆記体２Ｂが合体した状態の両頭式筆記具１を示す。図２は図１のＡ−Ａ線断面を示し、図３は図１のＢ−Ｂ線断面を示し、図４は図１のＣ−Ｃ線断面を示し、図５は図１のＤ−Ｄ線断面を示し、図６は図１のＥ−Ｅ線断面を示す。図７は図１の合体状態から分離した第１の筆記体２Ａを示す。図８は図１の合体状態から分離した第２の筆記体２Ｂを示す。
【００２５】
本実施の形態の両頭式筆記具１は、第１の筆記体２Ａと第２の筆記体２Ｂとが合体されて構成される。前記第１の筆記体２Ａと前記第２の筆記体２Ｂとは分離可能である。
【００２６】
・第１の筆記体
前記第１の筆記体２Ａは、前端が開口され且つ後端が閉鎖された有底筒状体よりなる第１のインキタンク４Ａと、前記第１のインキタンク４Ａの前端に設けられる第１のペン先３Ａと、前記第１のペン先３Ａと接続されるとともに前記第１のインキタンク４Ａの開口部に嵌入される第１のインキ保溜部材７Ａと、前記第１のインキ保溜部材７Ａの後方の第１のインキタンク４Ａ内に形成される第１のインキ貯溜部８Ａとからなる。
【００２７】
・第２の筆記体
前記第２の筆記体２Ｂは、前端が開口され且つ後端が閉鎖された有底筒状体よりなる第２のインキタンク４Ｂと、前記第２のインキタンク４Ｂの前端に設けられる第２のペン先３Ｂと、前記第２のペン先３Ｂと接続されるとともに前記第２のインキタンク４Ｂの開口部に嵌入される第２のインキ保溜部材７Ｂと、前記第２のインキ保溜部材７Ｂの後方の第２のインキタンク４Ｂ内に形成される第２のインキ貯溜部８Ｂとからなる。
【００２８】
・第１のインキタンク
第１のインキタンク４Ａは、透明または半透明の合成樹脂（例えばポリプロピレン）の射出成形により得られる有底筒状体である。前記第１のインキタンク４Ａは、前部に形成された第１の大径部５Ａと、該第１の大径部５Ａより後方に一体に連設された第１の小径部６Ａとから構成される。前記第１の大径部５Ａの外周は、横断面が円形状を有する。前記第１の小径部６Ａの外周は、横断面が半円形状または横断面が半多角形状を有する、外形面６２Ａと分割面６３Ａとからなる。本実施の形態では、図２乃至図４に示すように、前記第１の大径部５Ａの外周は、横断面が円形状を有し、前記第１の小径部６Ａの外周は、横断面が半円形状を有する。
【００２９】
・第２のインキタンク
同様に、第２のインキタンク４Ｂは、透明または半透明の合成樹脂（例えばポリプロピレン）の射出成形により得られる有底筒状体である。前記第２のインキタンク４Ｂは、前部に形成された第２の大径部５Ｂと、該第２の大径部５Ｂより後方に一体に連設された第２の小径部６Ｂとから構成される。前記第２の大径部５Ｂの外周は、横断面が円形状を有する。前記第２の小径部６Ｂの外周は、横断面が半円形状または横断面が半多角形状を有する、外形面６２Ｂと分割面６３Ｂとからなる。本実施の形態では、図３乃至図５に示すように、前記第２の大径部５Ｂの外周は、横断面が円形状を有し、前記第２の小径部６Ｂの外周は、横断面が半円形状を有する。
【００３０】
尚、本発明で、前記円形状とは、円または楕円形状をいう。前記半円形状とは、円形状が半分に分割された形状をいう。前記多角形状は、例えば、３角形、４角形、５角形、６角形、７角形、８角形等が挙げられ、握り易い点から正多角形状が好ましい。前記半多角形状とは、多角形状が半分に分割された形状をいう。前記各々の小径部の外形面６２Ａ、６２Ｂは、横断面円形状または横断面多角形状の半分の外形を構成する。前記各々の小径部の分割面６３Ａ、６３Ｂは、軸方向に延びる平面（即ち、軸線に平行な平面または軸線に対して傾斜する平面）により形成される。
【００３１】
・第１の前方係合部、第１の後方係合部
前記第１の大径部５Ａの後端（即ち、第１の大径部５Ａと第１の小径部６Ａとの間の段部）には、第１の前方係合部５１Ａを設けられる。前記第１の小径部６Ａの後端には、前記第１の前方係合部５１Ａと係合可能な形状（即ち第２の後方係合部６１Ｂ）と同一形状を有する第１の後方係合部６１Ａが設けられる。前記第１の前方係合部５１Ａは、第２の後方係合部６１Ｂと係合可能であり、前記第１の後方係合部６１Ａは、第２の前方係合部５１Ｂと係合可能である。具体的には、第１の前方係合部５１Ａ及び第１の後方係合部６１Ａは、後方に開口する凹部と後方に突出する凸部との組合せからなる。本実施の形態では、第１の前方係合部５１Ａが後方に開口する凹部よりなり、且つ、第１の後方係合部６１Ａが前記凹部に係合可能な形状と同一形状を有する後方に突出する凸部よりなる構成が採用されているが、これ以外にも、第１の前方係合部５１Ａが後方に突出する凸部よりなり、且つ、第１の後方係合部６１Ａが前記凸部に係合可能な形状と同一形状を有する後方に開口する凹部よりなる構成でもよい。
【００３２】
・第２の前方係合部、第２の後方係合部
前記第２の大径部５Ｂの後端（即ち、第２の大径部５Ｂと第２の小径部６Ｂとの間の段部）には、第２の前方係合部５１Ｂを設けられる。前記第２の小径部６Ｂの後端には、前記第２の前方係合部５１Ｂと係合可能な形状（即ち第１の後方係合部６１Ａ）と同一形状を有する第２の後方係合部６１Ｂが設けられる。前記第２の前方係合部５１Ｂは、第１の後方係合部６１Ａと係合可能であり、前記第２の後方係合部６１Ｂは、第１の前方係合部５１Ａと係合可能である。具体的には、第２の前方係合部５１Ｂ及び第２の後方係合部６１Ｂは、後方に開口する凹部と後方に突出する凸部との組合せからなる。本実施の形態では、第２の前方係合部５１Ｂが後方に開口する凹部よりなり、且つ、第２の後方係合部６１Ｂが前記凹部に係合可能な形状と同一形状を有する後方に突出する凸部よりなる構成が採用されているが、これ以外にも、第２の前方係合部５１Ｂが後方に突出する凸部よりなり、且つ、第２の後方係合部６１Ｂが前記凸部に係合可能な形状と同一形状を有する後方に開口する凹部よりなる構成でもよい。
【００３３】
・第１のインキタンクと第２のインキタンクの合体
第１のインキタンク４Ａと前記第２のインキタンク４Ｂとを合体させるには、前記第１の前方係合部５１Ａ（即ち第１の大径部５Ａの後端）と前記２の後方係合部（即ち第２の小径部６Ｂの後端）とを係合させると同時に、第１の後方係合部６１Ａ（即ち第１の小径部６Ａの後端）と第２の前方係合部５１Ｂ（即ち第２の大径部５Ｂの後端）とを係合させる。第１のインキタンクと第２のインキタンク４Ｂを合体させると、第１の小径部６Ａの分割面６３Ａと第２の小径部６Ｂの分割面６３Ｂとが非係合状態で対向して接触し、第１の小径部６Ａの外形面６２Ａと第２の小径部６Ｂの外形面６２Ｂとが横断面円形状または横断面多角形状を構成する。本実施の形態（図３参照）では、合体によって、第１の小径部６Ａの外形面６２Ａと第２の小径部６Ｂの外形面６２Ｂとが横断面円形状を構成する。
【００３４】
・第１のインキタンク同士の合体
第１の大径部５Ａの後端の第１の前方係合部５１Ａは、第１の小径部６Ａの後端の第１の後方係合部６１Ａと係合可能な形状（即ち第２の前方係合部５１Ｂ）と同一形状を有し、第１の小径部６Ａの後端の第１の後方係合部６１Ａは、第１の大径部５Ａの後端の第１の前方係合部５１Ａと係合可能な形状（即ち第２の後方係合部６１Ｂ）と同一形状を有する。それにより、第１のインキタンク４Ａ同士を係合させ、合体させることができる。また、前記第１の小径部６Ａの分割面６３Ａが平面部よりなるため、第１のインキタンク４Ａ同士を合体させた場合も、分割面６３Ａの平面部同士が非係合状態で対向して接触するため、ぐらつきのない安定した取付構造が得られる。
【００３５】
・第２のインキタンク同士の合体
第２の大径部５Ｂの後端の第２の前方係合部５１Ｂは、第２の小径部６Ｂの後端の第２の後方係合部６１Ｂと係合可能な形状（即ち第１の前方係合部５１Ａ）と同一形状を有し、第２の小径部６Ｂの後端の第２の後方係合部６１Ｂは、第２の大径部５Ｂの後端の第２の前方係合部５１Ｂと係合可能な形状（即ち第１の後方係合部６１Ａ）と同一形状を有する。それにより、第２のインキタンク４Ｂ同士を係合させ、合体させることができる。また、前記第２の小径部６Ｂの分割面６３Ｂが平面部よりなるため、第２のインキタンク４Ｂ同士を合体させた場合も、分割面６３Ｂの平面部同士が非係合状態で対向して接触するため、ぐらつきのない安定した取付構造が得られる。
【００３６】
・第１のインキ保溜部材、第１のインキ貯溜部
前記第１のインキタンク４Ａの第１の大径部５Ａ内には、第１のインキ保溜部材７Ａが嵌入される。前記第１のインキ保溜部材７Ａの後方の第１のインキタンク４Ａ内（即ち第１のインキ保溜部材７Ａの後方に残る第１の大径部５Ａと第１の小径部６Ａ）には、第１のインキ貯溜部８Ａが形成される。
【００３７】
前記第１のインキ保溜部材７Ａは、前記第１のインキ貯溜部８Ａ内の圧力上昇に応じた溢出インキを一時的に保持するためのものであり、複数の櫛歯を備えた合成樹脂（例えばＡＢＳ樹脂）製部材からなる。前記第１のインキ保溜部材７Ａの軸心孔には第１のペン先３Ａと第１のインキ貯溜部８Ａとの間を接続するインキ誘導芯７１Ａが挿着される。第１のインキ保溜部材７Ａは、第１のインキ貯溜部８Ａ内の第１のインキと略同色に着色されている。それにより、第１のインキタンク４Ａが透明または半透明であることから、インキ色を確認できる。
【００３８】
前記第１のインキ貯溜部８Ａには、第１のインキが貯溜される。前記第１のインキ貯溜部８Ａの第１のインキは、第１のインキタンク４Ａが透明材料または半透明材料よりなることから、外部より視認可能である。
【００３９】
・第２のインキ保溜部材、第２のインキ貯溜部
前記第２のインキタンク４Ｂの第２の大径部５Ｂ内には、第２のインキ保溜部材７Ｂが嵌入される。前記第２のインキ保溜部材７Ｂの後方の第２のインキタンク４Ｂ内（即ち第２のインキ保溜部材７Ｂの後方に残る第２の大径部５Ｂと第２の小径部６Ｂ）には、第２のインキ貯溜部８Ｂが形成される。
【００４０】
前記第２のインキ保溜部材７Ｂは、前記第２のインキ貯溜部８Ｂ内の圧力上昇に応じた溢出インキを一時的に保持するためのものであり、複数の櫛歯を備えた合成樹脂（例えばＡＢＳ樹脂）製部材からなる。前記第２のインキ保溜部材７Ｂの軸心孔には第２のペン先３Ｂと第２のインキ貯溜部８Ｂとの間を接続するインキ誘導芯７１Ｂが挿着される。第２のインキ保溜部材７Ｂは、第２のインキ貯溜部８Ｂ内の第２のインキと略同色に着色されている。それにより、第２のインキタンク４Ｂが透明または半透明であることから、インキ色を確認できる。
【００４１】
前記第２のインキ貯溜部８Ｂには、第２のインキが貯溜される。前記記第２のインキ貯溜部８Ｂの第２のインキは、第２のインキタンク４Ｂが透明材料または半透明材料よりなることから、外部より視認可能である。
【００４２】
・第１のペン先
前記第１のペン先３Ａは、本実施の形態では繊維の樹脂加工体（例えばポリエステル繊維の樹脂加工体）が採用されているが、これ以外にも、前記ペン先は、毛筆体、多孔質体、ボールペンチップ、万年筆状の金属板製チップ、合成樹脂押出成形よりなるプラスチックペン体等、いずれであってもよい。
【００４３】
・第２のペン先
前記第２のペン先３Ｂは、本実施の形態では繊維の樹脂加工体（例えばポリエステル繊維の樹脂加工体）が採用されているが、これ以外にも、前記ペン先は、毛筆体、多孔質体、ボールペンチップ、万年筆状の金属板製チップ、合成樹脂押出成形よりなるプラスチックペン体等、いずれであってもよい。
【００４４】
前記第１の筆記体２Ａと前記第２の筆記体２Ｂとが分離可能であることから、前記第１のペン先３Ａを有する第１の筆記体２Ａと第２のペン先３Ｂを有する第２の筆記体２Ｂとの組合せは、ユーザーが自由に選択できる。
【００４５】
本実施の形態では、第１のインキ及び第２のインキは、蛍光顔料または蛍光染料を含むインキが採用される。それにより、発色の優れた、見栄えのよい両頭式筆記具１が得られる。前記第１のインキ及び第２のインキの色は、例えば、蛍光イエロー、蛍光ピンク、蛍光オレンジ、蛍光グリーン、蛍光ブルー、蛍光バイオレットが挙げられる。前記第１の筆記体２Ａと前記第２の筆記体２Ｂとが分離可能であることから、前記第１のインキ及び第２のインキの色の組合せは、ユーザーが自由に選択できる。本実施の形態では、前記第１のインキ及び第２のインキは、第１の小径部６Ａ及び第２の小径部６Ｂにおいて径方向に２層に重層された状態で視認される。それにより、外観的な面白みが増加する。特に、本実施の形態では、第１のインキタンク４Ａと第２のインキタンク４Ｂとの間に、従来のような筒軸等を介在させない構成のため、透明性のインキタンクと相まって、インキタンク内部のインキの視認性が向上すると同時に、スマートな外観性を得ることができる。
【００４６】
また、本発明の両頭式筆記具１は、いずれか一方の筆記体のインキを使い切った場合、その一方の筆記体のみを交換することができ、インキを使い切っていない筆記体をそのまま使用することができ、経済的である。
【００４７】
・第１のキャップ
第１の筆記体２Ａの第１のペン先３Ａ側の外面には、第１のキャップ９Ａが着脱自在に設けられる。前記第１のキャップ９Ａは、一端が閉鎖され且つ他端が開口された有底筒状体であり、透明または半透明の合成樹脂（例えばポリプロピレン）の射出成形体により得られる。前記第１のキャップ９Ａは、外面にクリップ９１Ａが一体に形成されている。前記第１のキャップ９Ａは、第２のキャップ９Ｂと同一嵌合構造を有し、第２の筆記体２Ｂの第２のペン先３Ｂ側にも装着可能である。それにより、ユーザーが第１のキャップ９Ａと第２のキャップ９Ｂを区別して各々のペン先側に装着する手間が不要となる。
【００４８】
・第２のキャップ
第２の筆記体２Ｂの第２のペン先３Ｂ側の外面には、第２のキャップ９Ｂが着脱自在に設けられる。前記第２のキャップ９Ｂは、一端が閉鎖され且つ他端が開口された有底筒状体であり、透明または半透明の合成樹脂（例えばポリプロピレン）の射出成形体により得られる。前記第２のキャップ９Ｂは、外面にクリップを備えない。前記第２のキャップ９Ｂは、第１のキャップ９Ａと同一嵌合構造を有し、第１の筆記体２Ａの第１のペン先３Ａ側にも装着可能である。それにより、ユーザーが第１のキャップ９Ａと第２のキャップ９Ｂを区別して各々のペン先側に装着する手間が不要となる。
【図面の簡単な説明】
【００４９】
【図１】本発明の両頭式筆記具の縦断面図である。
【図２】図１のＡ−Ａ線断面図である。
【図３】図１のＢ−Ｂ線断面図である。
【図４】図１のＣ−Ｃ線断面図である。
【図５】図１のＤ−Ｄ線断面図である。
【図６】図１のＥ−Ｅ線断面図である。
【図７】図１の第１の筆記体の縦断面図である。
【図８】図１の第２の筆記体の縦断面図である。
【符号の説明】
【００５０】
１ 両頭式筆記具
２Ａ 第１の筆記体
３Ａ 第１のペン先
４Ａ 第１のインキタンク
５Ａ 第１の大径部
５１Ａ 第１の前方係合部
６Ａ 第１の小径部
６１Ａ 第１の後方係合部
６２Ａ 外形面
６３Ａ 分割面
７Ａ 第１のインキ保溜部材
７１Ａ インキ誘導芯
８Ａ 第１のインキ貯溜部
９Ａ 第１のキャップ
９１Ａ クリップ
２Ｂ 第２の筆記体
３Ｂ 第２のペン先
４Ｂ 第２のインキタンク
５Ｂ 第２の大径部
５１Ｂ 第２の前方係合部
６Ｂ 第２の小径部
６１Ｂ 第２の後方係合部
６２Ｂ 外形面
６３Ｂ 分割面
７Ｂ 第２のインキ保溜部材
７１Ｂ インキ誘導芯
８Ｂ 第２のインキ貯溜部
９Ｂ 第２のキャップ
【図１】
0004750355.tif 000002
【図２】
0004750355.tif 000003
【図３】
0004750355.tif 000004
【図４】
0004750355.tif 000005
【図５】
0004750355.tif 000006
【図６】
0004750355.tif 000007
【図７】
0004750355.tif 000008
【図８】
0004750355.tif 000009